(57)【要約】【課題】電位治療器で電位をかけることにより交感神経を抑え、副交感神経を優位にする作用がある。その結果、リンパ球が増え、血流がよくなって免疫力が高まる。【解決手段】約３０ｋＨｚから約５０ｋＨｚの周波数、約５００ボルトから約５０００ボルトを人体に印加して微弱電流を流し、かつ周波数出力波形を可変して出力して白血球分画の顆粒球とリンパ球との比率を調整する。【選択図】図５
2004243048.tif 000002
【特許請求の範囲】
【請求項１】
約３０ｋＨｚから約５０ｋＨｚの周波数、約５００ボルトから約５０００ボルトを人体に印加して微弱電流を流し、かつ周波数出力波形を正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力して白血球分画の顆粒球とリンパ球との比率を調整する電位治療装置制御方法。
【請求項２】
白血球分画の顆粒球を減少してリンパ球を増やすことを特徴とする請求項１記載の電位治療装置制御方法。
【請求項３】
約３０ｋＨｚから約５０ｋＨｚの周波数、約５００ボルトから約５０００ボルトを人体に印加して微弱電流を流し、かつ前記周波数の任意の波形で出力して白血球分画の顆粒球とリンパ球との比率を調整する調整手段を備える電位治療装置。
【請求項４】
前記調整手段は、電圧変換回路と、振幅・周波数可変回路と、増幅・変調回路（インバータ回路）と、復調回路とを備えることを特徴とする請求項３に記載の電位治療装置。
【請求項５】
約３０ｋＨｚから約５０ｋＨｚの周波数、約５００ボルトから約５０００ボルトを人体に印加して微弱電流を流し、かつ周波数出力波形を正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力して白血球分画の顆粒球とリンパ球との比率を調整する方法。
【発明の詳細な説明】
【０００１】
【産業上の利用分野】
本発明は、自律神経の働きを調整するための、電位治療装置制御方法、電位治療装置及び白血球分画の顆粒球とリンパ球との比率を調整する方法及電位治療装置に関する。
【０００２】
【従来の技術】
人間の血液１立方ｍｍ中に赤血球５００個、白血球５０００個から８０００個が含まれている。また、白血球分画の５４〜６０％は、顆粒球であり、３５〜４１％はリンパ球である。そして、心配事や過労等心身のストレスがあると、自律神経、すなわち交感神経と副交感神経とのバランスが乱れやすくなり、これに連動して顆粒球とリンパ球のバランスも乱れることが知られている。
【０００３】
かくして、交感神経が優位になると、顆粒球が増大し、かつ心臓の拍動が増えて血管が収縮して血圧が上がり心身は活動モードに入る。副交感神経が優位になると、リンパ球が増え、かつ心臓の拍動が抑えられて血管は拡張して血液循環が良くなり、血圧がさがってリンパ球が増えて心身は休息モードに入る。
【０００４】
これら交感神経と副交感神経に連動する顆粒球とリンパ球の割合を制御する東洋医学における物理的処方として、所定のツボに針を刺して針に通電させる方法が知られている。この処方では、専門の医師がツボの位置を診て通電を行っている。従って、患者は専門の医師にその都度病院等に赴き治療をしてもらわなければならない。このため、患者にとって時間の制約や煩わしさがあった。
【０００５】
【発明が解決しようとする技術課題】
本発明は、従来のこのような問題点を解決することを鑑みてなされたもので、その目的は、患者はその都度医師に診てもらう必要性がなく家庭等で簡単に自律神経を調節することができる電位治療装置制御方法、電位治療装置及び白血球分画の顆粒球とリンパ球との比率を調整する方法を提供することにある。
【０００６】
【技術課題を達成するための手段】
請求項１に係る電位治療装置制御方法は、約３０ｋＨｚから約５０ｋＨｚの周波数、約５００ボルトから約５０００ボルトを人体に印加して微弱電流を流し、かつ周波数出力波形を正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力して白血球分画の顆粒球とリンパ球との比率を調整する。
【０００７】
請求項２に係る電位治療装置制御方法は、白血球分画の顆粒球を減少してリンパ球を増やすことを特徴とする。
【０００８】
請求項３に係る電位治療装置は、約３０ｋＨｚから約５０ｋＨｚの周波数、約５００ボルトから約５０００ボルトを人体に印加して微弱電流を流し、かつ前記周波数の任意の波形で出力して白血球分画の顆粒球とリンパ球との比率を調整する調整手段を備える。
【０００９】
請求項４に係る電位治療装置において、調整手段は、電圧変換回路と、振幅・周波数可変回路と、増幅・変調回路（インバータ回路）と、復調回路とを備えることを特徴とする。
【００１０】
請求項５に係る白血球分画の顆粒球とリンパ球との比率を調整する方法は、約３０ｋＨｚから約５０ｋＨｚの周波数、約５００ボルトから約５０００ボルトを人体に印加して微弱電流を流し、かつ周波数出力波形を正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つの波形で出力してなる。
【００１１】
【発明の実施の形態】
以下、本発明の一実施例を添付図面を参照して詳述する。
図１、図２及び図３は、それぞれ椅子型、布団型そして座布団型の電位治療装置の概略図を示す。図１において、符号１は、制御装置で、制御装置は商用電源に接続される。そして出力端子は高圧コード２を通して椅子４の座席に設けられている通電シート６に接続される。椅子に座った人の足が載せられる絶縁台８が、設けられている。図２において、椅子の代わりに布団１０が使用される。布団の上に通電パット１１が、人の腰部付近に置かれ、対電極１２は、枕の下、又は枕の中に置かれる。絶縁体はベッドの脚部に設置され、床面に接している。図３において、椅子、布団に代わり座布団１３が使用される。座布団は、畳や床上に絶縁シート１４上に置かれる。座布団上に通電パット１５が置かれる。
【００１２】
電位治療装置は、商用電源１００ボルトの電圧を制御装置に組み込まれた電圧変換回路（トランス）によって所定の電圧に変換し、インバータ回路、安全回路（高いインピーダンス素子）、変調回路等を備えた電源回路を通して出力端子に導く。出力端子の一端は大地に接続され、他端は大地より絶縁された電極に接続され、その電極から人体に高電位を負荷させる。周波数は、約３０ｋＨｚから約５０ｋＨｚ、出力電圧は、約５００ボルトから約５０００ボルト、電流は、約１．０ｍＡから約０．００５ｍＡである。
【００１３】
ここで、電源回路のブロック図は、図４に示されている。図４の電源回路は、周波数可変及び振幅可変回路、インバータ回路及び復調回路を備える。この電源回路から出力される出力波形は、正弦波交流波形、＋側正弦波交流波形、−側正弦波交流波形、正弦波変調波形、正弦波変調波形に直流成分を加えた重畳波形、ゆらぎ変調波形又は矩形波波形のいずれか１つである。そして、この電源回路は、周波数の任意の波形で出力して白血球分画の顆粒球とリンパ球との比率を調整する調整手段を構成する。
【００１４】
図４において、１００Ｖ、５０〜６０Ｈｚ用商用電源から出力は、電源回路に入力する。電源回路の出力は、電源回路１６を介して、振幅・周波数可変回路１７に入力される。振幅・周波数可変回路１７は、ボリューム１８と、可変インダクタ１９を備える。入力信号の振幅の大きさは、ボリューム１８により可変され、一方、周波数は、可変インダクタ１９の可変により可変される。増幅・変調回路（インバータ回路）２０は、プッシュプル発振回路２２と、このプッシュプル発振回路により電圧を昇圧し、及び該電位を高周波で変調するための高周波トランス２４を備える。かくして、出力波形の振幅は、可変インダクタを可変させることで出力波形の周波数を実際の負荷に合わせて自由に調整できる。また、ボリューム及び可変インダクタの機能は自動制御が可能である。なお、増幅・変調回路（インバータ回路）２０の出力は、復調回路２６に入力される．復調回路２６は、ダイオード２８、抵抗３０及びコンデンサ３２を備える。
【００１５】
かくして、約３０ｋＨｚから約５０ｋＨｚの周波数、約５００ボルトから約５０００ボルトを人体に印加して微弱電流を流し、かつ前記周波数を任意の波形で出力することにより、白血球分画の顆粒球とリンパ球との比率を調整し、白血球分画の顆粒球は減少してリンパ球が増加する。顆粒球の減少は、交感神経の緊張を抑えて活性酸素を減らす。一方、リンパ球の増加は、副交感神経を優位にして血液を回復させて免疫力を高める。
【００１６】
【実施例】
当社の電位治療器である「ビバックス」（商標名）を使用して白血球分画の顆粒球とリンパ球との比率を調整する実験を行った。実験に際して、上述した図２に示すベッド台に人を寝かせて行った。このベッド台は、絶縁ゴムを取り付けた４本の脚部に水平板を置き、この上にマットを介して布団を敷いてある。布団の上面で横に寝た人の腰付近に電極板を置き、一方布団の下側にアース電極を置いた。そして、電極板に制御装置から高圧電圧を加え、アース電極は床でアースを取り、出力電圧を９５０ボルト、電流を１．０ｍＡ、出力周波数を約３８．５ｋＨｚの＋側正弦波交流を使用した。ここで、サンプル数（白血球分画の顆粒球とリンパ球との比率に何らかの問題がある人）；３２人に以下に述べる電位治療器である「ビバックス」（商標名）を使用による白血球分画の顆粒球とリンパ球との比率の改善が認められた。
【００１７】
試験方法は、以下にして行った。まず、本人に通電を知覚されないようにして安静状態で仰向位に寝かせて血液を２ｃｃ採血し、かつ脈拍を測定した（ブラインドテストによる）。そして人に電位治療器を使用して１５分間上記条件で電位をかけた。その後、１５分後に再度血液を採血した。
【００１８】
電位治療器で電位をかける前で、顆粒球が多く、リンパ球の少ない人、また脈拍数の多いサンプル数；３２のそれぞれについて、その前後で白血球分画の顆粒球とリンパ球の割合、脈拍数の変化を調べた。その結果を図５及び図６に示す。図５は、顆粒球とリンパ球の割合変化を示す。図６は、脈拍数の変化を示す。図５に示すように、電位をかける前と後において、顆粒球は、約６４％から約６０％に減少し、一方リンパ球は、約３１％から約３５％に増加していることがわかる。ここで一般に、顆粒球とリンパ球との比率において、顆粒球の正常値は、約５４〜約６０％、リンパ球の正常値は、約３５％〜約４１％である。従って、顆粒球とリンパ球の割合は正常値の範囲内に入ってきていることがわかる。また、図６に示すように、脈拍数において、その前後で約７０から約６５減少していることがわかる。脈拍の正常値は、約６５である。かくして、顆粒球が多く、リンパ球の少ない人は、正常値に近づき、また脈拍数の高い人も正常値に近づいている。
【００１９】
顆粒数が増えると交感神経が優位になり、心臓の拍動が増えて血管が収縮して血圧が上昇する。電位治療器で電位をかけることにより顆粒球が減少してリンパ球が増えることにより、副交感神経が優位になり心臓の拍動が抑えられ血管が拡張して血液循環が良くなり血圧が抑えられて心身は休息モードに入る。
【００２０】
また、過労等心身のストレスがあると、交感神経と副交換神経のバランスが乱れやすくなり、これに連動して顆粒球とリンパ球のバランスも乱れるようになる。ストレスは交感神経を緊張させ顆粒球を増やす。かくして、電位治療器で電位をかけることにより顆粒球が減少してリンパ球が増えることにより、副交感神経が優位になりストレスが緩和される。
【００２１】
このように電位治療器で電位をかけることにより交感神経を抑え、副交感神経を優位にする作用がある。その結果、リンパ球が増え、血流がよくなって免疫力が高まる。
【００２２】
【発明の効果】
本発明に係る白血球分画の顆粒球とリンパ球との比率を調整する方法及電位治療装置によれば、患者は椅子に座り、布団に寝、あるいは座布団に座わり、電位治療装置を作動させるだけの簡単に、患者に何の苦痛を与えることなしに交感神経を抑え、副交感神経を優位にする作用が得られる。その結果、リンパ球が増え、血流がよくなって免疫力が高まり、血圧を下げ、あるいは疲労を回復させる効用が得られる。
【図面の簡単な説明】
【図１】図１は、椅子型の電位治療装置を示す概略図である。
【図２】図２は、布団型の電位治療装置を示す概略図である。
【図３】図２は、座布団型の電位治療装置を示す概略図である。
【図４】図４は、電源回路を示すブロック図である。
【図５】図５は、電位治療を行う前後での顆粒球とリンパ球の割合の変化を示す図である。
【図６】図６は、電位治療を行う前後での脈拍数の変化を示す図である。
【符号の説明】
１；制御装置
２；高圧コード
４；椅子
６；通電シート
８；絶縁台
１０；布団
１１、１２；絶縁シート
１３；座布団
１４；絶縁シート
１５；通電パット
１２；電源回路
１８；ボリューム
１９；可変インダクタ
２０；増幅・変調回路（インバータ回路）
２２；プッシュプル発振回路
２６；復調回路
【図１】
2004243048.tif 000003
【図２】
2004243048.tif 000004
【図３】
2004243048.tif 000005
【図４】
2004243048.tif 000006
【図５】
2004243048.tif 000007
【図６】
2004243048.tif 000008